(57)【要約】ヒンジリッド型パックはケース（２）と、ケース（２）内に収容されたインナフレーム（１６）付きの内容物（１４）とを備える。ケース（２）はそのフロント壁（４）に形成された横行切り取り線（２２）と、その左右のサイド壁（１２）に形成された斜行切り取り線（２４）と、そのリア壁（６）に形成されたセルフヒンジ（２６）とを有する。ケース（２）が横行切り取り線（２２）及び斜行切り取り線（２４）から分離されたとき、ケース（２）はボックス（３０）と、開閉可能なリッド（２８）とに分割される。
2004065235.tif 000002
【特許請求の範囲】
【請求項１】
棒状喫煙物品のためのヒンジリッド型パックは、
フロント壁、リア壁、トップ壁、ボトム壁及び左右のサイド壁を含む箱形のケースと、
前記ケース内に収容された内容物であって、複数の棒状喫煙物品の束と、この束を包み込む包材とを有する、内容物と、
前記ケース内に配置されたインナフレームであって、前記フロント壁と前記内容物との間のフロント部分と、前記各サイド壁と前記内容物との間のサイド部分と、前記フロント部分に形成され、前記ボトム壁に向けて開口し且つ前記フロント壁の中央よりも前記トップ壁側に位置付けられた底を有する略Ｕ字形状のアクセス開口及び前記アクセス開口を形成するために切り取り線により区画された開口予定領域の一方とを有する、インナフレームと、
前記フロント壁を横断して延び、前記フロント壁を分離可能な横行切り取り線であって、前記アクセス開口の前記底又は前記底に対応した前記開口予定領域の部位と前記トップ壁の間に配置された横行切り取り線と、
前記各サイド壁を前記横行切り取り線から前記ボトム壁に向けて斜めに横断して延び、前記サイド壁を分離可能な斜行切り取り線と、
前記リア壁を横断して延び、各サイド壁の斜行切り取り線を相互に接続し且つ前記リア壁の中央よりも前記ボトム壁側に位置付けられたセルフヒンジと
を備え、
前記横行切り取り線及び前記斜行切り取り線が分離されたとき、前記ケースは前記トップ壁を有し且つ前記内容物を収容したボックスと、前記ボトム壁を有し且つ前記セルフヒンジを中心して回動可能なリッドとに分割される。
【請求項２】
請求項１のパックにおいて、
前記インナフレームは前記トップ壁から前記ボトム壁に亘って延びている。
【請求項３】
請求項２のパックにおいて、
前記各サイド壁は、前記斜行切り取り線よりも前記トップ壁側に位置付けられ、前記インナフレームのサイド部分に接着された部分を有する。
【請求項４】
請求項１のパックにおいて、
前記棒状喫煙物品はフィルタシガレットであり、
前記内容物は、前記フィルタシガレットのフィルタが前記ボトム壁に位置付けられた状態で、前記ケース内に収容されている。
【請求項５】
請求項４のパックにおいて、
前記内容物は、
前記包材の折込みにより形成され、前記内容物の両端をそれぞれ閉じる上側及び下側閉塞面と、
前記包材に切り離し線により区画して形成され、前記アクセス開口又は前記開口予定領域に対応した形状を有する分離可能領域と、
前記分離可能領域を前記アクセス開口又は前記開口予定領域を介して前記フロント壁の内面に接着する糊塗布領域と
を含む。
【請求項６】
請求項５のパックにおいて、
前記分離可能領域は、前記下側閉塞面の一部を更に含む。
【請求項７】
請求項６のパックにおいて、
前記下側閉塞面は、左右のエンドフラップと、これらエンドフラップに順次重ね合わされたインナフラップ及び前記分離可能領域の一部となるアウタフラップとを含み、
前記パックは、前記アウタフラップと前記ボトム壁の内面とを互いに接着する糊塗布領域を更に含む。
【請求項８】
請求項１のケースを成形するためのブランクは、
前記ケースの前記リア壁を形成するためのリアパネルであって、両端縁、両側片及び前記両端縁のうちの一方の端縁側に位置付けられた前記セルフヒンジとを有するリアパネルと、
前記リアパネルの前記両側縁に折込み線を介してそれぞれ接続された一対のインナサイドフラップと、
前記各インナサイドフラップを斜めに横切るインナ切り取り線と、
前記リアパネルの他方の端縁に折込み線を介して接続された第１アウタエンドパネルであって、前記リアパネルとは反対側に端縁を有する、第１アウタエンドパネルと、
前記第１アウタエンドパネルの両側にそれぞれ配置され、対応する側の前記インナサイドフラップに折込み線を介して接続された第１インナエンドフラップであって、前記第１アウタエンドフラップとともに前記ケースのトップ壁を形成する、第１インナエンドフラップと、
前記リアパネルの一方の端縁に折込み線を介して接続され、第２アウタエンドパネルであって、前記リアパネルとは反対側に端縁を有する第２アウタエンドパネルと、
前記第２アウタエンドパネルの両側に配置され、対応する側の前記インナサイドフラップに折込み線を介して接続された第２インナエンドフラップであって、前記第２アウタエンドパネルとともに前記ケースのボトム壁を形成する、第２インナエンドフラップと、
前記第１アウタエンドパネルの前記端縁に折込み線を介して接続され、両側縁を有するビームパネルと、
前記ビームパネルの両側縁に折込み線を介して接続された一対のビームサイドフラップと、
前記第２アウタエンドパネルの前記端縁に折込み線を介して接続され、前記ケースの前記フロント壁を前記ビームパネルとともに形成するためのフロントパネルであって、両側縁を有するフロントパネルと、
前記フロントパネルを横断する横行切り取り線と、
前記フロントパネルの前記両側縁に折込み線を介して接続され、前記ケースのサイド壁を前記ビームフラップ及び前記インナサイドフラップとともに形成するための一対のアウタサイドフラップと、
前記各アウタサイドフラップを斜めに横切るアウタ切り取り線であって、前記インナ切り取り線とともに前記ケースの斜行切り取り線を形成する、アウタ切り取り線と
を含む。
【発明の詳細な説明】
【技術分野】  本発明は、シガレットやフィルタシガレット等の棒状喫煙物品のためのヒンジリッド型パック及びそのブランクに関する。
【背景技術】  この種のヒンジリッド型パックは、例えば特開平１１−４９１４９号公報に開示されている。この公報のパックは、開口端を有したボックスと、ボックス内に収容された内容物と、ボックスの開口端を閉じるリッドとを含む。ボックスはインナフレームを有し、このインナフレームはボックスにおける開口端の前縁及び左右の側縁を形成する。リッドは開口端の後縁にセルフヒンジを介して結合されている。リッドはセルフヒンジを中心に回動され、ボックスの開口端を開く。
一方、内容物は、複数の棒状喫煙物品の束と、この束を包み込む包材とを含んでいる。
通常、上述したヒンジリッド型パックは透明な包装フィルムにより包み込まれており、この包装フィルムシートは開封テープを有する。従って、パックを開くためには先ず、包装フィルムが開封テープにより破られ、パックのリッドを外側に露出させなければない。
包装フィルムは、パックの１つの側面に沿って延びるサイドシームと、パックのトップ及びボトムをそれぞれ覆う閉塞面とを有する。これら閉塞面は、包装フィルムの一部を折込みより形成され、且つ、互いに重ね合わされた閉塞フラップを有し、これら閉塞フラップはヒートシールにより互いに接着されている。
上述した閉塞フラップ間のシール強度は比較的弱いため、これら閉塞フラップは容易に分離可能である。それ故、閉塞フラップにおける折込みの解放及び再折込みが可能であるため、閉塞面が不所望に開かれてしまう虞がある。閉塞面が一旦開かれると、パックのリッドは開閉自在であるため、パックの内容物に対する悪戯が可能となる。
包装フィルムは、パック内の棒状喫煙物品の品質を長期に亘って維持するうえで有効ではある。しかしながら、この場合、棒状喫煙物品の包装形態は、内容物の包材、ブランク及び包装フィルムを含んだ３重構造となる。このような３重構造の包装形態は省資源化の流れからみると、過剰である。
更に、通常のパックのリッドは比較的小さいため、リッドが開かれても、ボックスの内容物、つまり、棒状喫煙物品を外部に大きく露出させることができない。このため、ボックスからの棒状物品の抜き取りが容易ではない。
本発明の目的は、棒状喫煙物品の過剰包装を避けて棒状喫煙物品に対する悪戯を効果的に防止できるとともに、棒状喫煙物品を抜き取りを容易に行うことができるヒンジリッド型パック及びそのブランクを提供することにある。
【発明の開示】
本発明のヒンジリッド型パックは、フロント壁、リア壁、トップ壁、ボトム壁及び左右のサイド壁を含む箱形のケースと、ケース内に収容された内容物であって、複数の棒状喫煙物品の束と、この束を包み込む包材とを有する、内容物と、ケース内に配置されたインナフレームであって、フロント壁と内容物との間のフロント部分と、各サイド壁と内容物との間のサイド部分と、フロント部分に形成され、ボトム壁に向けて開口し且つフロント壁の中央よりもトップ壁側に位置付けられた底を有する略Ｕ字形状のアクセス開口及び前記アクセス開口を形成するために切り取り線により区画された開口予定領域の一方とを有する、インナフレームと、フロント壁を横断して延び、フロント壁を分離可能な横行切り取り線であって、アクセス開口の底又はこの底に対応した開口予定領域の部位とトップ壁の間に配置された横行切り取り線と、各サイド壁を横行切り取り線からボトム壁に向けて斜めに横断して延び、サイド壁を分離可能な斜行切り取り線と、リア壁を横断して延び、各サイド壁の斜行切り取り線を相互に接続し且つリア壁の中央よりも前記ボトム壁側に位置付けられたセルフヒンジとを備え、横行切り取り線及び斜行切り取り線が分離されたとき、ケースはトップ壁を有し且つ内容物を収容したボックスと、ボトム壁を有し且つセルフヒンジを中心して回動可能なリッドとに分割される。
上述のヒンジリッド型パックによれば、ケースが横行切り取り線及び斜行切り取り線から分離されたとき、ケースはボックスとリッドとに分割される。この後、リッドがセルフヒンジを中心に回動されたとき、リッドは開かれる。
横行切り取り線はケースのトップ壁側に配置されているので、リッドが開かれると、ボックスの前面が大きく露出される。しかも、インナフレームは大きなアクセス開口を有するので、ボックスからの棒状喫煙物品の取出しが容易となる。
上述したパックの開姿勢は、通常のヒンジリッドパックとは大きく異なり、喫煙者や周囲の人々に強烈な印象を付与する。
横行切り取り線及び斜行切り取り線の破断はケースに痕跡として残り、このような痕跡はケースが既に分割されたことを明瞭に示す。従って、横行切り取り線及び斜行切り取り線の痕跡は、内容物に対する悪戯を防止する上で有効である。
ケースが分割されるまでの間、ケースは内容物を確実に密封するので、ケースのためのフィルム包装が不要となる。
好ましくは、インナフレームはトップ壁からボトム壁に亘って延びている。この場合、インナフレームはボックスの補強部材として機能する。
更に、各サイド壁は、斜行切り取り線よりもトップ壁側に位置付けられ、インナフレームのサイド部分に接着された部分を有することができる。このようにしてサイド壁がインナフレームに接着されていれば、ボックスの剛性が更に向上する。
具体的には、棒状喫煙物品はフィルタシガレットであり、内容物は、フィルタシガレットのフィルタがボトム壁に位置付けられた状態で、ケース内に収容されている。この場合、喫煙者は、通常のヒンジリッド型パックとは異なり、ボックスからリッドを手前側に引き付けるように開き、そして、ボックス内のフィルタシガレットを抜き出すことになる。このようなリッドの開操作及びフィルタシガレットの抜き取り操作は、喫煙者のエレガントな振る舞いを導き、特に女性の喫煙者に好適する。
好ましくは、内容物は、包材の折込みにより形成され、内容物の両端をそれぞれ閉じる上側及び下側閉塞面と、包材に切り離し線により区画して形成され、アクセス開口又は開口予定領域に対応した形状を有する分離可能領域と、分離可能領域をアクセス開口又は開口予定領域を介してフロント壁の内面に接着する糊塗布領域と含むことができる。
リッドが最初に開かれたとき、包材の分離可能領域が切り取り線から分離され、内容物のフィルタシガレットはインナフレームのアクセス開口を通じて部分的に露出する。従って、リッドが最初に開かれた後、喫煙者は包材から分離可能領域を分離する必要はない。また、分離可能領域の分離は分離片を形成するが、この分離片はリッドの内面に接着した状態で保持される。この結果、分離片の廃棄処理もまた不要となる。
なお、インナフレームが開口予定領域を有する場合、リッドが最初に開かれると、開口予定領域はインナフレームから分離され、これにより、インナフレームにアクセス開口が形成される。
更に、分離可能領域は、内容物の下側閉塞面の一部を更に含んでいるのが望ましい。具体的には、下側閉塞面は、左右のエンドフラップと、これらエンドフラップに順次重ね合わされたインナフラップ及びアウタフラップを含み、このアウタフラップが前記分離可能領域に含まれる。この場合、パックは、アウタフラップとボトム壁の内面とを互いに接着する糊塗布領域を更に含む。
本発明は、上述したケースを成形するためのブランクを提供し、このブランクは、ケースのリア壁を形成するためのリアパネルであって、両端縁、両側片及び両端縁のうちの一方の端縁側に位置付けられた前記セルフヒンジとを有するリアパネルと、リアパネルの両側縁に折込み線を介してそれぞれ接続された一対のインナサイドフラップと、各インナサイドフラップを斜めに横切るインナ切り取り線と、リアパネルの他方の端縁に折込み線を介して接続された第１アウタエンドパネルであって、前記リアパネルとは反対側に端縁を有する、第１アウタエンドパネルと、第１アウタエンドパネルの両側にそれぞれ配置され、対応する側の前記インナサイドフラップに折込み線を介して接続された第１インナエンドフラップであって、前記第１アウタエンドフラップとともに前記ケースのトップ壁を形成する、第１インナエンドフラップと、リアパネルの一方の端縁に折込み線を介して接続され、第２アウタエンドパネルであって、リアパネルとは反対側に端縁を有する第２アウタエンドパネルと、第２アウタエンドパネルの両側に配置され、対応する側の前記インナサイドフラップに折込み線を介して接続された第２インナエンドフラップであって、第２アウタエンドパネルとともに前記ケースのボトム壁を形成する、第２インナエンドフラップと、第１アウタエンドパネルの端縁に折込み線を介して接続され、両側縁を有するビームパネルと、ビームパネルの両側縁に折込み線を介して接続された一対のビームサイドフラップと、第２アウタエンドパネルの端縁に折込み線を介して接続され、ケースのフロント壁をビームパネルとともに形成するためのフロントパネルであって、両側縁を有するフロントパネルと、このフロントパネルを横切る横行切り取り線と、フロントパネルの両側縁に折込み線を介して接続され、ケースのサイド壁をビームフラップ及びインナサイドフラップとともに形成するための一対のアウタサイドフラップと、各アウタサイドフラップを斜めに横切るアウタ切り取り線であって、インナ切り取り線とともにケースの斜行切り取り線を形成する、アウタ切り取り線と
を含む。
【図面の簡単な説明】  第１図は、一実施例のヒンジリッド型パックが未だ開かれていない状態を示す斜視図、
第２図は、第１図のパックの内容物をインナフレームとともに示す斜視図、
第３図は、第１図のパックが開かれた状態を示す斜視図、
第４図は、第２図の内容物の包材を展開して示した図、
第５図は、第１図のパックのケースを形成するためのブランクを示した図、
第６図〜第１１図は、第５図のブランクの折込み工程を順に示した図、及び
第１２図は、変形例のインナフレームを示した斜視図である。
【発明を実施するための最良の形態】  第１図は一実施例に係わるヒンジリッド型パックを示す。
このパックは直方体形状のケース２を備え、このケース２は、フロント壁４、リア壁６、トップ壁８、ボトム壁１０及び左右のサイド壁１２をそれぞれ有する。
ケース２内には第２図に示される直方体形状の内容物１４がインナフレーム１６とともに収容されている。内容物１４は、２０本のフィルタシガレットを有するシガレット束ＣＢと、このシガレット束ＣＢを包み込む包材１８とを含む。
インナフレーム１６はケース２のトップ壁８からボトム壁１０の近傍まで延びている。より詳しくは、インナフレーム１６は、内容物１４の前面に重ね合わされたフロント部分１５と、内容物１４の両側面に沿う左右のサイド部分１７とを有する。
更に、フロント部分１５はアクセス開口２０を有する。このアクセス開口２０はケース２のボトム壁１０に向けて開いた略Ｕ字形状をなし、内容物１４における前面の一部を露出させている。第２図から明らかなように、アクセス開口２０の底縁は、ケース２の長手方向でみてケース２の中央からトップ壁８側に位置付けられている。
第１図に示されるように、ケース２のフロント壁４は横行切り取り線２２を有する。この横行切り取り線２２は穿孔列により形成され、トップ壁８と平行にしてフロント壁４を横断して延びている。横行切り取り線２２は、前述したアクセス開口２０の底よりもトップ壁８側に位置付けられている。
ケース２の左右の側壁１２は斜行切り取り線線２４をそれぞれ有し、これら斜行切り取り線２４はスリット列から形成されている。各斜行切り取り線２４は横行切り取り線２２の対応する側の端からボトム壁１０に向けて、側壁１２を斜めに横断している。
更に、ケース２のリア壁６はセルフヒンジ２６を有し、このセルフヒンジ２６は折込み線から形成されている。セルフヒンジ２６はボトム壁１０の近傍に位置付けられ、ボトム壁１０に沿ってリア壁６を横断して延びている。より詳しくは、セルフヒンジ２６は左右の斜行切り取り線２４を接続している。
上述した横行切り取り線２２はフロント壁４の分割を許容し、左右の斜行切り取り線２４は対応するサイド壁１２の分割を許容する。従って、ケース２が横行切り取り線２２及び左右の斜行切り取り線２４のそれぞれに沿って分割されたとき、ケース２は第３図に示されるように、ボックス３０及びリッド２８に分割される。これらボックス３０及びリッド２８はセルフヒンジ２６を介して相互に接続された状態にある。
リッド２８は、ケース２の一部、即ち、横行切り取り線２２からボトム壁１０までのフロント壁４の部位と、ボトム壁１０と、ボトム壁１０からセルフヒンジ２６までのリア壁６の部位と、前記フロント壁の部位に連なる左右のサイド壁１２の部位とを含む。一方、ボックス３０はケース２の残部と、前述したインナフレーム１６とを含み、内容物１４はボックス３０に収容されている。
リッド２８がセルフヒンジ２６を中心に回動されると、第３図から明らかなように、ケース２は大きく開かれる。この結果、内容物１４におけるシガレット束ＣＢの一部がインナフレーム１６のアクセス開口２０を通じて露出される。
より詳しくは、第２図に示されるように内容物１４の包材１８はその一部に分離可能領域３６を有し、この分離可能領域３６は切り離し線３２及び一対のスリット３３とにより区画されている。切り離し線３２はスリット列から形成され、アクセス開口２０の縁に沿って延び、分離可能領域３６のフロント部分を形成する。一方、一対のスリット３３は内容物１４の下側閉塞面３４に形成され、切り離し線３２の両端から延びている。これらスリット３３は、下側閉塞面３４の一部であるアウタフラップ３８を分離可能領域３６のフロント部分のみに接続させる。
分離可能領域３６はケース２の内面、即ち、前述したリッド２８の内面に予め接着されている。それ故、ケース２が分割され、そして、リッド２８が最初に開かれたとき、分離可能領域３６は包材１８から切り離され、分離片３６Ａを形成する。この分離片３６Ａはリッド２８の内面に接着されたままに維持される。この結果、内容物１４のシガレット束ＣＢがインナフレーム１６のアクセス開口２０から露出する。
ここで、包材１８によるシガレット束ＣＢの包装手順について説明する。
先ず、包材１８はシガレット束ＣＢの周囲に巻付けられ、包材１８の両端縁がシガレット束ＣＢの１つの側面上にて互いに重ね合わされる。このとき、包材１８はシガレット束ＣＢの上端面及び下端面からそれぞれ突出した管状部を有する。この後、包材１８の上下の管状部はシガレット束ＣＢの上端面及び下端面に向けて所定の形態で順次折り込まれ、内容物１４の上側閉塞面及び下側閉塞面３４を形成する。具体的には、各閉塞面は、左右のエンドフラップと、これらエンドフラップに順次重ね合わされたインナフラップ及びアウタフラップ３８とを有する。
第４図は包材１８の展開図を示す。第４図から明らかなように、アウタフラップ３８を形成すべき包材１８の部分は、切り離し線３２により区画された部分（前述した分離可能領域３６のフロント部分）のみに連なり、包材１８の残部から一対のスリット３３を介して分離されている。第４図中の破線は包材１８の折込み線を示す。
なお、アウタフラップ３８のスリット３３は、切り離し線３２と同様な切り離し線に置換可能である。
第５図は前述のケース２を成形するためのブランク４２の裏面を示し、このブランク４２について以下に詳述する。
ブランク４２はリア壁６のためのリアパネル４４を備え、このリアパネル４４はセルフヒンジ２６を形成するための折り曲げ線４６を有する。リアパネル４４の両側縁には折込み線を介して一対のインナサイドフラップ４８が接続され、これらインナサイドフラップ４８はインナ切り取り線５０をそれぞれ有する。これらインナ切り取り線５０は折り曲げ線４６の両端から対応する側のインナサイドフラップ４８を斜めに横切って延びている。
なお、第５図中、折り曲げ線４６や前記折込み線、また、後述する他の折込み線は全て２重線で示されている。
リアパネル４４の下端縁には折込み線を介して第１アウタエンドパネル５２が接続されている。第１アウタエンドパネル５２の両側には第１インナエンドフラップ５４がそれぞれ配置され、これら第１インナエンドフラップ５４はインナサイドフラップ４８の下端縁に折込み線を介してそれぞれ接続されている。第１インナエンドフラップ５４及び第１アウタエンドパネル５２は、ケース２のトップ壁８を形成するために使用される。
更に、第１アウタエンドパネル５２の下端縁には折込み線を介してビームパネル５６が接続され、このビームパネル５６の両側縁には折込み線を介して一対のビームサイドフラップ５８がそれぞれ接続されている。
一方、リアパネル４４の上端縁には折込み線を介して第２アウタエンドパネル６０が接続され、この第２アウタエンドパネル６０の両側には第２インナエンドフラップ６２がそれぞれ配置されている。これら第２インナエンドフラップ６２は対応する側のインナサイドフラップ４８の上端縁に折込み線を介してそれぞれ接続されている。第２インナエンドフラップ６２及び第２アウタエンドパネル６０は、ケース２のボトム壁１０を形成するために使用される。
第２アウタエンドパネル６０の上端縁には折込み線を介してフロントパネル６４が接続されている。このフロントパネル６４は前述の横行切り取り線２２を有し、この横行切り取り線２２はフロントパネル６４を横断して延びている。ここで、フロントパネル６４の上端縁と横行切り取り線２２との間の長さＬ１は、前述したビームパネル５６の長さＬ２に一致する。フロントパネル６４及びビームパネル５６は、ケース２のフロント壁４を形成するための使用される。
フロントパネル６４の両側縁には折込み線を介してアウタサイドフラップ６６がそれぞれ接続され、各アウタサイドフラップ６６はアウタ切り取り線６８をそれぞれ有する。これらアウタ切り取り線６８は、横行切り取り線２２の両端から対応する側のアウタサイドフラップ６６を斜めに横切って延びている。
ケース２が成形されたとき、即ち、インナ及びアウタサイドフラップ４８，６６が互いに重ね合わされたとき、アウタ切り取り線６８及びインナ切り取り線５０は互いに重なり合い、ケース２の斜行切り取り線２４を形成し、そして、インナ及びアウタサイドフラップ４８，６６は、ビームサイドフラップ５８とともにケース２のサイド壁１２を形成する。
ブランクンク４２の裏面には、パネル及びフラップの所定の箇所に糊がそれぞれ塗布され、これら糊塗布領域７０は第５図中、ハッチングを施して示されている。
具体的には、インナサイドフラップ４８の糊塗布領域７０はインナ切り取り線５０から下側の部分のみに形成され、第１アウタエンドパネル５２の糊塗布領域７０は、第１アウタエンドパネル５２の両側部にそれぞれ形成される。
ビームパネル５６及び左右のビームフラップ５８の糊塗布領域７０は、これらパネル５６及びフラップ５８の略中央にそれぞれ形成される。
第２アウタエンドパネル６０の糊塗布領域７０は第２アウタエンドパネル６０の両側部にそれぞれ形成され、第２インナエンドフラップ６２の糊塗布領域７０ａは第２インナエンドフラップ６２の外側縁部に形成されている。ケース２が成形された後、これら糊塗布領域７０ａは第２インナエンドフラップ６２と前述したアウタフラップ３８の両側部とを互いに接着する。
フロントパネル６４の糊塗布領域７０は横行切り取り線２２の上下に分けてそれぞれ形成される。ケース２が成形された後、フロントパネル６４の下側の糊塗布領域７０ｂは、フロントパネル６４と内容物１４とをインナフレーム１６のアクセス開口２０を通じて互いに接着する。
アウタサイドフラップ６６の糊塗布領域７０は、アウタ切り取り線６８を避けて、アウタサイドフラップ６６の全域に形成される。
上述した糊塗布領域７０の働きは、第６図〜第１１図を参照しながら以下に説明するパックの製造工程から明らかになる。
第６図に示されるように、先ず内容物１４がブランク４２のリアパネル４４上に配置され、この際、内容物１４のシガレット束ＣＢはそのフィルタが第２アウタエンドパネル６０側を向いた状態にある。
また、内容物１４がブランク４２に供給される前に、内容物１４にはインナフレーム１６が既に取付けられている。なお、第６図〜第１１図中、インナフレーム１６は省略されている。
この後、第７図に示されるように、一対のインナサイドフラップ４８が第１及び第２インナエンドフラップ５４，６２を伴い、内容物１４の両側面に向けて折り込まれ、これら両側面に重ね合わされる。インナサイドフラップ４８は糊塗布領域７０を介して内容物１４の側面、即ち、インナフレーム１６に接着される。インナサイドフラップ４８の糊塗布領域７０はインナ切り取り線５０から第１アウタエンドパネル５２側のインナサイドフラップ４８の一部のみに形成されているため、インナサイドフラップ４８の残部がインナフレーム１６の側面に接着されることはない。
この後、第８図に示されるように、第１及び第２インナエンドフラップ５４，６２が内容物１４の上側及び下側閉塞面に向けて折り込まれ、これら閉塞面に重ね合わされる。この際、第１インナエンドフラップ５４の糊塗布領域７０は、第１インナエンドフラップ５４と内容物１４の上側閉塞面とを互いに接着し、第２インナエンドフラップ６２の糊塗布領域７０ａは、第２インナエンドフラップ６２と内容物１４における下側閉塞面３４のアウタフラップ３８とを互いに接着する。
この後、第１アウタエンドパネル５２がビームパネル５６及び左右のビームフラップ５８を伴い、内容物４の上側閉塞面に向けて折り込まれ、この上側閉塞面に重ね合わされる。第１アウタエンドパネル５２の左右の糊塗布領域７０は、第１アウタエンドパネル５２と既に折込み済みの第１インナエンドフラップ５４とを接着する。この時点で、これらパネル５２及びフラップ５４はケース２のトップ壁８を形成する。
この後、ビームパネル５６が左右のビームフラップ５８を伴い、内容物１４の上面に向けて折り込まれ、第９図に示されるように内容物１４の上面に重ね合わされる。ビームパネル５６の糊塗布領域７０はビームパネル５６と内容物１４のインナフレーム１６とを互いに接着する。このとき、左右のビームフラップ５８はインナサイドフラップ４８から側方に突出されている。
この後、第１０図に示されるように、左右のビームフラップ５８は対応する側のインナサイドフラップ４８に向けて折り込まれ、これらインナサイドフラップ４８に重ね合わされる。ピームフラップ５８の糊塗布領域７０は、ビームフラップ５８とインナサイドフラップ４８とを互いに接着する。
この後、第２アウタエンドパネル６０がフロントパネル６４及び左右のアウタサイドフラップ６６を伴い、内容物１４の下側閉塞面３４に向けて折り込まれ、この下側閉塞面３４に重ね合わされる。第２アウタエンドパネル６０の糊塗布領域７０は、第２アウタエンドパネル６０と既に折込み済みの第２インナエンドフラップ６２とを互いに接着する。この時点で、これらエンドパネル６０及びエンドフラップ６２はケース２のボトム壁１０を形成する。
この後、フロントパネル６４は左右のアウタサイドフラップ６６を伴い、内容物１４の上面に向けて折り込まれ、既に折込み済みのビームパネル５６及びインナフレーム１６に重ね合わされる。フロントパネル６４の糊塗布領域７０は、フロントパネル５６とビームパネル５６とを互いに接着し、フロントパネル６４の糊塗布領域７０ｂはフロントパネル５６と内容物１４の分離可能領域３８とをインナフレーム１６のアクセス開口２０を通じて相互に接着する。
この状態は第１１図に示されており、この時点で、フロントパネル６４及びビームパネル５６はケース２のフロント壁４を形成する。この際、横行切り取り線２２はビームパネル５６の端縁に合致し、左右のアウタサイドフラップ６６はフロントパネル６４の側方にそれぞれ突出している。
この後、左右のアウタサイドフラップ６６は対応する側のインナサイドフラップ４８に向けて折り込まれ、このインナサイドフラップ４８に重ね合わされる。アウタサイドフラップ６６の糊塗布領域７０は、アウタ切り取り線６８を除くアウタサイドフラップ６６の全域をインナサイドフラップ４８に接着させ、この時点、これらサイドフラップ４８，６６はケース２のサイド壁１２を形成し、第１図のケース２が得られる。
サイド壁１２が形成されたとき、アウタサイドフラップ６６のアウタ切り取り線６８及びインナサイドフラップ４８のインナ切り取り線５０は互いに合致し、斜行切り取り線２４を形成する。
上述の説明から既に明らかなようにケース２が製造されたとき、内容物１４（包材１８）の分離可能領域３６は糊塗布領域７０ａ，７０ｂを介してフロント壁４の内面及びボトム壁１０の内面にそれぞれ接着されている。
また、ケース２のサイド壁１２はその一部分のみがインナフレーム１６の側面に接着されているに過ぎない。より詳しくは、斜行切り取り線２４からトップ壁８に至るサイド壁１２の部分はインナサイドフラップ４８の糊塗布領域７０（第５図参照）を介してインナフレーム１６の側面に接着されているが、斜行切り取り線２４からボトム壁１０に至るサイド壁１２の部分はインナフレーム１６の側面に接着されていない。
それ故、ケース２が横行切り離し線２２及び左右の斜行切り離し線２４から分離されることにより、リッド２８及びボックス３０に分割されると、リッド２８はボックス３０に対して自由状態となり、リア壁６のセルフヒンジ２６を中心として回動可能となる。
この後、リッド２８が回動され、第３図に示したようにケース２が大きく開かれたとき、内容物１４（包材１８）の分離可能領域３６は切り離し線２２から切り離され、内容物１４のシガレット束ＣＢがインナフレーム１６のアクセス開口２０を通じて露出する。
この結果、喫煙者は、ケース２を開いた後、分離可能領域３６の切り離しを行うことなく、ボックス３０からフィルタシガレットを直ちに抜き取ることができる。
分離可能領域３６の切り離しにより形成された分離片３６Ａ（第３図参照）は、リッド２８の内面に糊塗布領域７０ａ，７０ｂを介して接着されたままに維持される。従って、分離片３６Ａの廃棄処理が不要となり、分離片３６Ａは内容物１４が空になった後、ケース２とともに廃棄される。
ケース２の横行切り離し線２２はケース２のトップ壁８側に位置付けられ、しかも、インナフレーム１６におけるアクセス開口２０の底が切り離し線２２の近傍に位置付けられているので、リッド２８のフロント部分は通常のヒンジリッドバックのリッドに比べて大きい。従って、リッド２８が開かれると、ボックス３０は第３図から明らかなように、その前面が大きく露出される。また、インナフレーム１６のアクセス開口２０の開口面積もまた大きく確保されているで、フィルタシガレットの抜き取りが容易となる。
第３図に示したパックの開姿勢は通常のパックの開姿勢とは非常に異なり、喫煙者や周囲の人々に強烈な印象を与えることができる。この場合、第３図から明らかなように、シガレット束ＣＢはそのフィルタ側がケース２のボトム壁１０側を向いた状態で収容されているので、喫煙者はボックス３０からリッド２８を手前に引き付けるよう回動させて、リッド２８を開かれ、そして、フィルタシガレットを手前に引き出すようにして取出すことができる。このようなリッド２８の開操作やフィルタシガレットの取出し形態は、通常のヒンジリッド型パックの場合に比べて、喫煙者にエレガントな振る舞いを導き、特に女性の喫煙者に好適する。
ケース２がリッド２８とボックス３０とに一旦分割されると、横行切り離し線２２及び斜行切り離し線２４を破断した痕跡がケース２に残るので、この痕跡は内容物１４への悪戯防止に役立つ。
ケース２の分割前、リッド２８は開閉不能であるから、ケース２のフィルム包装が不要となる。この場合、フィルム包装に要するコストが削減されるばかりでなく、フィルム材が塵になることもなく、塵の削減に大きく貢献する。
更に、ケース２のトップ壁８側の端部は、左右のビームフラップ５８を備えたビームパネル５６及びインナフレーム１６を含んでいるので、強度的に優れる。
また、トップ壁８側の端部において、ビームパネル５６及びビームフラップ５６は糊塗布領域７０を介してインナフレーム１６に接着され、ビームフラップ５６はインナサイドフラップ６６にも糊塗布領域７０を介して接着され、そして、第１アウタエンドパネル５２は左右の第１インナエンドフラップ５４にも糊塗布領域７０を介して接着されている。このような接着形態は、トップ壁８側の端部のシール性を向上させる。
また、ケース２のボトム壁１０側の端部においても、第２アウタエンドパネル６０は左右の第２インナエンドフラップ６２に糊塗布領域７０を介して接着されているとともに、これら第２インナエンドフラップ６２は下側閉塞面３４（アウタフラップ３８）に糊塗布領域７０ａを介して接着されている。従って、ボトム壁１０側の端部のシール性もまた高い。この結果、ケース２は、フィルム包装を有していなくても、内容物１４内のフィルタシガレットの品質を長期に亘って維持することができる。
本発明は、上述した一実施例に制約されるものではなく、種々の変形が可能である。
第１２図に示されるようにインナフレーム１６は、アクセス開口２０に代えて、このアクセス開口２０を形成するための開口予定領域７６を有する。この開口予定領域７６は、Ｕ字形の切り取り線７４により区画されている。この場合、ケース２が製造されたとき、開口予定領域７６の裏面及び表面は糊塗布領域７０を介して包材１８の分離可能領域３８及びフロントパネル６４に接着されている。
ケース２が分割され、そして、リッド２８が最初に開かれたとき、内容物１４の分離可能領域３６及びインナフレーム１６の開口予定領域７６は共に切り離され、インナフレーム１６に前述したアクセス開口２０が形成される。この場合、開口予定領域７６の切り取りにより形成された切断片７６Ａ（第３図参照）はリッド２８の内面に分離片３６Ａとともに接着したままの状態で保持される。
包材１８の分離可能領域３６はその裏面を情報の印刷に使用することができる。この場合、リッド２８が開かれたとき、情報がリッド２８の内面に現れる。
【図１】
2004065235.tif 000003
【図２】
2004065235.tif 000004
【図３】
2004065235.tif 000005
【図４】
2004065235.tif 000006
【図５】
2004065235.tif 000007
【図６】
2004065235.tif 000008
【図７】
2004065235.tif 000009
【図８】
2004065235.tif 000010
【図９】
2004065235.tif 000011
【図１０】
2004065235.tif 000012
【図１１】
2004065235.tif 000013
【図１２】
2004065235.tif 000014
【国際調査報告】
2004065235.tif 000015
2004065235.tif 000016
2004065235.tif 000017